(57)【要約】      （修正有）【課題】  複数の無線ネットワーク間でタスクを選択的に割当てて、情報ハンドリングシステムのネットワーク化の容量、効率を向上する。【解決手段】タスクは、パーソナルエリア無線ネットワークとローカルエリア無線ネットワークとの間で割当てられる。同じ場所に配置された無線ローカルエリアネットワークのトランシーバとパーソナルエリアネットワークのトランシーバとを通るネットワーク通信は、ネットワーク化した帯域幅がより効率的に使用されるように、タスク割当てモジュールを使用して管理される。例えば、オフィスのアプリケーションは、超広帯域ネットワークのような、パーソナルエリアネットワークを通して通信し、ローカルエリアネットワークのような企業のネットワーク上で輻輳を起こすことなく、ビデオ表示、ＶｏＩＰ通信、およびパーソナルネットワーク付属記憶装置へのアクセスのような、マルチメディアタスクを達成する。【選択図】    図３
2006074737.tif 000002
【特許請求の範囲】
【請求項１】
無線ネットワーク間でタスクを割当てるシステムであって、
情報を処理するように動作可能であり、かつ第１および第２の無線ネットワーク化インターフェイスをもつ情報ハンドリングシステムであって、第１のインターフェイスが、第１の無線ネットワークを通る通信を支援するように動作することができ、第２のインターフェイスが、第２の無線ネットワークを通る通信を支援するように動作することができる情報ハンドリングシステムと、
各周辺機器が無線ネットワークの少なくとも１つを通って情報ハンドリングシステムと対話するように動作可能である、複数の周辺機器と、
ハウジング内に配置された第1および第２の無線インターフェイスをもち、かつ第１および第２の無線ネットワークを通る情報ハンドリングシステムと周辺機器との間の通信を選択的に割当てるように動作可能なスイッチとを含むシステム。
【請求項２】
第１の無線ネットワーク化インターフェイスが、無線ローカルエリアネットワークを含み、第２の無線ネットワーク化インターフェイスが、無線パーソナルエリアネットワークを含む請求項１記載のシステム。
【請求項３】
無線パーソナルエリアネットワークが、ブルートゥースネットワークを含む請求項２記載のシステム。
【請求項４】
無線パーソナルエリアネットワークが、超広帯域ネットワークを含む請求項２記載のシステム。
【請求項５】
無線ローカルエリアネットワークが、802.11(b)ネットワークを含む請求項４記載のシステム。
【請求項６】
スイッチと関係付けられていて、かつネットワークの輻輳にしたがって、第１および第２の無線ネットワーク間で情報の通信を割当てるように動作可能なタスク割当てモジュールをさらに含む請求項５記載のシステム。
【請求項７】
周辺機器が、第１および第２の無線ネットワークインターフェイスをもつパーソナルネットワーク付属記憶装置を含む請求項６記載のシステム。
【請求項８】
周辺機器が、第１および第２の無線ネットワークインターフェイスをもつＶｏＩＰ電話を含む請求項６記載のシステム。
【請求項９】
タスク割当てモジュールが、情報の通信のために、無線ネットワークインターフェイスの選択に優先順位を付けるようにも動作可能である請求項６記載のシステム。
【請求項１０】
第１の無線ネットワークと関係付けられた第１の帯域と、第２の無線ネットワークと関係付けられた第２の帯域とにおいて情報を通信するように動作可能なアンテナと、
アンテナとインターフェイスしていて、かつ第１の帯域において情報を通信するように動作可能な無線ローカルエリアネットワークモジュールと、
アンテナとインターフェイスしていて、かつ第２の帯域において情報を通信するように動作可能な無線パーソナルエリアネットワークモジュールと、
無線ローカルエリアネットワークモジュールおよび無線パーソナルエリアネットワークモジュールとインターフェイスしていて、かつ１つ以上の要素に基いて、第１または第２の帯域上で情報を選択的に通信するように動作可能なタスク割当てモジュールとを含む情報ハンドリングシステムネットワーク化スイッチ。
【請求項１１】
情報を選択的に通信することが、ローカルエリアネットワークタイプの情報であるか、パーソナルエリアネットワークタイプの情報であるかを判断することと、第１の帯域においてローカルエリアネットワークタイプの情報を通信することと、第２の帯域においてパーソナルエリアネットワークタイプの情報を通信することとを含む請求項１０記載の情報ハンドリングシステムネットワーク化スイッチ。
【請求項１２】
パーソナルエリアネットワークタイプの情報が、ＶｏＩＰ情報を含む請求項１１記載の情報ハンドリングシステムネットワーク化スイッチ。
【請求項１３】
パーソナルエリアネットワークタイプの情報が、パーソナルネットワークに付属の記憶データを含む請求項１１記載の情報ハンドリングシステムネットワーク化スイッチ。
【請求項１４】
パーソナルエリアネットワークタイプの情報が、ビデオディスプレイ上で提示するためのマルチメディア情報を含む請求項１１記載の情報ハンドリングシステムネットワーク化スイッチ。
【請求項１５】
１つ以上の要素が、第１および第２の帯域上の輻輳を含む請求項１０記載の情報ハンドリングシステムネットワーク化スイッチ。
【請求項１６】
タスク割当てモジュールとインターフェイスしていて、かつイーサネット（登録商標）媒体を通して情報を通信するように動作可能なワイヤードモジュールと、
ワイヤードモジュールとインターフェイスしていて、かつイーサネット（登録商標）媒体から電力を受取るように動作可能な電力モジュールとをさらに含む請求項１０記載の情報ハンドリングシステムネットワーク化スイッチ。
【請求項１７】
１つ以上の情報ハンドリングシステムと１つ以上の周辺機器との間で情報を通信する方法であって、
第１のネットワーク帯域において情報を通信する第１のトランシーバと、第２のネットワーク帯域において情報を通信する第２のトランシーバとを同じ場所に配置することと、
ローカルエリアネットワーク情報およびパーソナルエリアネットワーク情報のようなネットワーク情報を、１つ以上の要素にしたがって分類することと、
１つ以上の情報ハンドリングシステムと１つ以上の周辺機器との間の通信のために、ローカルエリアネットワーク情報を第１の無線トランシーバへ割当てることと、
１つ以上の情報ハンドリングシステムと１つ以上の周辺機器との間の通信のために、パーソナルエリアネットワーク情報を第２の無線トランシーバへ割当てることとを含む方法。
【請求項１８】
ネットワーク情報を分類することが、
第１の無線トランシーバと関係付けられた情報の輻輳を判断することと、
第２の無線トランシーバへの情報の分類にバイアスをかけることとをさらに含む請求項１７記載の方法。
【請求項１９】
ネットワーク情報を分類することが、情報内容を解析して、情報をローカルまたはパーソナルネットワーク化タスクと関係付けることをさらに含む請求項１７記載の方法。
【請求項２０】
パーソナルネットワーク化タスクが、帯域幅をたくさん使う音声、ビデオ、およびデータのタスクを含む請求項１８記載の方法。
【発明の詳細な説明】
【技術分野】
【０００１】
本発明は、概ね、情報ハンドリングシステムのネットワーク化の分野に関し、とくに、タスク選択性の無線ネットワーク化のためのシステムおよび方法に関する。
【背景技術】
【０００２】
情報の価値および使用が増加し続けているために、個人および会社は、情報を処理し、記憶する別の方法を求めている。ユーザにとって使用可能な１つのオプションは、情報ハンドリングシステムである。情報ハンドリングシステムは、一般に、仕事上の、個人的な、または他の目的の情報またはデータを処理し、編集し、記憶し、および／または通信して、ユーザが情報の価値を利用できるようにする。技術および情報のハンドリングの必要および要件は、異なるユーザまたはアプリケーション間で異なるので、情報ハンドリングシステムも、何れの情報をハンドリングするか、どのように情報をハンドリングするか、どのくらいの量の情報を処理、記憶、または通信するか、並びに、どのくらい迅速および効率的に情報を処理、記憶、または通信するかに関して変化する。情報ハンドリングシステムにおけるバリエーションにより、情報ハンドリングシステムを汎用にしたり、あるいは特定のユーザまたは特定の使用（例えば、金融取引の処理、飛行機の座席予約、企業データの記憶、または全地球的な通信）のために構成したりすることができる。さらに加えて、情報ハンドリングシステムは、情報を処理し、記憶し、通信するように構成された種々のハードウエアおよびソフトウエア構成要素、並びに１つ以上のコンピュータシステム、データ記憶システム、およびネットワーク化システムを含む。
【０００３】
情報ハンドリングシステムは、多くの場合に、相互に、および多数の異なるタイプの周辺機器とネットワークを通して対話し、情報を通信し、印刷し、または、さもなければ処理する。一般的なローカルエリアネットワークは、ピア ツウ ピアまたはサーバ−クライアントアーキテクチャで、イーサネット（登録商標）ケーブルのようなワイヤーを使用して、情報ハンドリングシステムと周辺機器とをインターフェイスさせる。会社は、しばしば、情報ハンドリングシステムを購入し、構造にケーブルを通して、情報ハンドリングシステムをネットワーク化することに、相当な金額を投資する。しかしながら、自宅をベースにした情報ハンドリングシステムは、コストおよび複雑さのために、ワイヤードネットワークの構成を避ける傾向がある。会社では、効率的な情報技術およびネットワーク化への投資は、多くの場合に、従業員が関連情報により良く迅速にアクセスし、使用できるといった従業員の向上した生産性という理由で、相当な配当をもたらす。情報ハンドリングシステムアプリケーションおよび周辺機器への最近の投資により、会社にとってより大きな重要性をもつ効率的なネットワーク化が行われた。例えば、従業員は、デスクトップ型、ノートブック型、およびＰＤＡの情報ハンドリングシステムに益々依存して、オフィス環境において種々のタスクを行っており、タスクは、ボイス オーバー インターネット プロトコル（Voice over Internet Protocol, VoIP）によって与えられる電話サービスのような基本的なタスクから、ＬＣＤモニタ上でのＨＤＴＶ信号の表示のような比較的に大量のデータの通信を含むマルチメディアタスクのような、データをたくさん使うタスクに及ぶ。同様に、情報ハンドリングシステムに依存して、多忙なスケジュール、複雑な財政、並びに音楽および映画の記憶および表示に関係する多様なマルチメディアアプリケーションを管理する家庭も増加してきている。
【０００４】
会社が、情報ハンドリングシステムのネットワーク化への依存を増加したので、業界では、会社および家庭で使用するための無線ネットワーク化の規定を策定することによって対応した。無線ネットワークは、情報を無線波で通信し、それによって情報ハンドリングシステムおよび周辺機器をケーブルで接続する必要を低減した。例えば、ＩＥＥＥの802.11標準は、５ギガヘルツの周波数で動作している802.11a標準、２．４ギガヘルツで、直列スペクトル拡散を使用して動作し、かつ約１００メートルの範囲で比較的に迅速にデータを転送する802.11b標準、ブルートゥースとして知られており、２．４ギガヘルツで動作し、かつ約１０メートルの範囲で比較的に緩慢にデータを転送する802.11g標準を含む。無線ローカルエリアネットワーク（wireless local area network, WLAN）を使用する会社は、一般に、802.11b対応のアクセスポイントを会社構造全体に配備し、各ＷＬＡＮは、一般に、イーサネット（登録商標）接続によるアクセスポイントおよびスイッチにインターフェイスし、ネットワーク接続を支援する。ＷＬＡＮにおいて、各ネットワーク化された情報ハンドリングシステムおよび周辺機器は、無線アクセスポイントを通してサーバと通信する無線カードをもつ。無線アクセスポイントは、一般に、規定のスペクトラム内での周波数の使用をネゴシエートし、必要以上の干渉または輻輳のない、多数の装置間の並列の通信を調整する。ＷＬＡＮについての問題は、802.11b標準のもとで共用アクセスフェアネスアーキテクチャを使用すると、激しくネットワークを使用している間の、多数のユーザにおいて発生するかもしれない輻輳か、またはマルチメディアの動作中の、全体的なネットワーク容量および効果を低下させる輻輳が発生することになることである。ブルートゥースの標準は、一般に、無線パーソナルエリアネットワーク（Wireless Personal Area Network, WPAN）において使用されるが、ブルートゥースの標準のデータ転送レートが比較的に緩慢であるために、そのアプリケーションは、通常、キーボードおよびマウスのような、基本周辺機器に制限される。ＷＰＡＮ環境におけるデータ転送レートを向上するために、業界では、超広帯域標準（Ultrawide Band standard, UWB）を策定した。ＵＷＢは、３．１ないし１０．６ギガヘルツの周波数帯域および強力なプロトコルスタックを使用して、低雑音、低電力、およびケーブルフリーの装置と周辺機器との接続のための短距離のピア ツウ ピア アーキテクチャにおいて迅速なデータ転送を行う。ＵＷＢ標準は、１０ないし２０メートルの比較的に制限された範囲をもつが、802.11bを通る使用可能なデータ転送レートよりも高いデータ転送レートを支援する。
【発明の開示】
【発明が解決しようとする課題】
【０００５】
したがって、複数の無線ネットワーク間でタスクを選択的に割当てて、情報ハンドリングシステムのネットワーク化の容量および効率を向上するシステムおよび方法に対する必要が生じた。
【課題を解決するための手段】
【０００６】
本発明にしたがって、情報ハンドリングシステムの無線ネットワーク化のための従来の方法およびシステムに付随する欠点および問題を相当に低減するシステムおよび方法を与える。第１および第２の無線トランシーバは、同じ場所に配置され、１つ以上の情報ハンドリングシステムと１つ以上の周辺機器との間で情報を通信する。情報は、１つ以上の希望の要素にしたがって、第１のトランシーバと関係付けられた第１のローカルエリアネットワークと、第２のトランシーバと関係付けられた第２のパーソナルエリアネットワークとの間で割当てられる。
【０００７】
より具体的には、マルチモードスイッチが、無線ローカルエリアネットワークとパーソナルエリアネットワークとの間で情報の通信を割当てることによって、１つ以上の情報ハンドリングシステムと１つ以上の周辺機器との間の情報通信を調整する。アンテナとインターフェイスしている無線ローカルエリアネットワークのモジュールは、例えば、802.11bに対応の信号を使用して、無線ローカルエリアネットワークの情報を通信する。アンテナとインターフェイスしている無線パーソナルエリアネットワークのモジュールは、例えば、ブルートゥースまたは超広帯域に対応の信号により、無線パーソナルエリアネットワークの情報を通信する。ローカルエリアネットワーク対パーソナルエリアネットワークの通信情報の分類は、各ネットワークの相対的な輻輳または情報内容のような、１つ以上の要素にしたがう。ローカルエリアネットワークのモジュールとパーソナルエリアネットワークのモジュールとにインターフェイスしているタスク割当てモジュールは、各ネットワークを通って通信する情報を割当てる。例えば、マルチメディアの音声、ビデオ、およびデータの機能を行うための、帯域幅をたくさん使う通信には、パーソナルエリアネットワークに対してバイアスをかけ、企業のアプリケーションのためのローカルエリアの帯域幅を確保する。
【０００８】
本発明は、多数の重要な技術的長所を与える。重要な技術的長所の一例は、使用可能な帯域幅をより効率的に使用するために、ローカルエリアネットワークとパーソナルエリアネットワークとの間で通信情報を割当てることである。例えば、共通のアンテナにより、ローカルエリアネットワークのモジュールとパーソナルエリアネットワークのモジュールとを共通のハウジングまたは支援インフラストラクチャ内の同じ場所に配置すると、製造コストが低減し、パーソナルエリアネットワークとローカルエリアネットワークとの間で割当てられる通信情報の調整が向上する。パーソナルエリアネットワークを使用して、帯域幅をたくさん使うオフィスのタスクと関係付けられた情報を通信すると、企業全体のネットワークアプリケーションにおける輻輳が低減する。
【０００９】
本発明は、添付の図面を参照することによって、当業者には明らかになる多数の目的、特徴、および長所がよりよく理解される。幾つかの図面全体を通して同じ参照番号を使用し、同じまたは同様の要素を示す。
【発明を実施するための最良の形態】
【００１０】
企業およびオフィスのネットワーク通信は、１つ以上の要素に基づいて、情報ハンドリングシステムと周辺機器との間で情報を選択的に通信する、無線ローカルエリアネットワークとパーソナルエリアネットワークとの間の割当てによって支援される。この開示のために、情報ハンドリングシステムは、ビジネス、科学、制御、または他の目的のための任意の形態の情報、知能、またはデータを計算、分類、処理、送信、受信、検索、発信、切換え、記憶、表示、表明、検出、記録、再生、ハンドリング、または使用するように動作可能な任意の手段または手段の集約を含む。例えば、情報ハンドリングシステムは、パーソナルコンピュータ、ネットワーク記憶装置、または他の適切な装置であり、サイズ、形状、性能、機能、および価格は様々である。情報ハンドリングシステムは、ランダムアクセスメモリ（random access memory, RAM）、中央処理ユニット（central processing unit, CPU）もしくはハードウエアあるいはソフトウエア制御論理のような１つ以上の処理資源、ＲＯＭ、および／または他のタイプの不揮発性メモリを含む。情報ハンドリングシステムの別の構成要素は、１つ以上のディスクドライブ、外部装置と通信するための１つ以上のネットワークポート、並びにキーボード、マウス、およびビデオディスプレイのような入力および出力（input and output, I/O）装置を含む。情報ハンドリングシステムは、種々のハードウエア構成要素間の通信を伝送するように動作可能な１本以上のバスも含む。
【００１１】
ここで、図１を参照すると、ブロック図は、マルチモードスイッチによって支援される情報ハンドリングシステムおよび周辺機器を示しており、マルチモードスイッチは、無線ローカルエリアネットワークとパーソナルエリアネットワークとの間で情報の通信を割当てる。デスクトップ型情報ハンドリングシステム10、ノードブック型情報ハンドリングシステム12、およびＰＤＡ情報ハンドリングシステム14は、情報を処理し、通信するための処理構成要素を含む。情報ハンドリングシステム10、12、および14は、種々の周辺機器と対話し、情報を処理し、通信し、記憶し、表示する。種々の周辺機器は、モニタ16、プリンタ18、パーソナルネットワーク付属記憶装置（personal network attached storage, PNAS）20、およびＶｏＩＰ装置22装置を含むが、これらに制限されない。情報ハンドリングシステムおよび周辺機器は、マルチモード無線スイッチ26によって支援される無線ネットワーク24を通って通信する。各情報ハンドリングシステムおよび周辺機器は、無線ローカルエリアネットワークのトランシーバおよび無線パーソナルエリアネットワークのトランシーバを支援するアンテナ28を通して、情報を通信する。無線ローカルエリアネットワークは、企業全体の通信を支援し、情報ハンドリングシステムおよび周辺機器が、工場のようなローカルエリアを通して通信できるようにする。ローカルエリアネットワーク内には、複数の無線パーソナルエリアネットワークが配置されていて、各無線パーソナルエリアネットワークは、オフィスの立方体領域内のような、個人のオフィス空間の情報ハンドリングシステムおよび周辺機器の通信を支援する。
【００１２】
マルチモード無線スイッチ26は、多数の無線ネットワーク化モードを統合し、統合された無線ローカルエリアおよびパーソナルエリアネットワークの接続を支援する。統合されたマルチモードの共通の無線トランシーバおよびアンテナ構造は、ローカルエリア情報またはパーソナルエリア情報のような、情報の分類に基いて、通信を選択的に支援する。例えば、情報ハンドリングシステム10、12、および14間の情報の通信、並びにＶｏＩＰ装置22と企業のローカルエリアネットワークとの通信のような、情報ハンドリングシステムおよび周辺機器によって実行される選択されたタスクは、802.11(b)のローカルエリアネットワークの帯域に割当てられる。例えば、パーソナルネットワーク付属記憶装置20による、あるいは、ＨＤＴＶまたはＬＣＤモニタ16によってビデオを表示するための、マルチメディアタスクを支援する情報の通信のような、情報ハンドリングシステムおよび周辺機器によって行われる他の選択されたタスクは、超広帯域パーソナルエリアネットワークに割当てられる。別の例として、ブルートゥースのパーソナルエリアネットワークは、キーボードおよびマウスのような、基本周辺機器の通信を支援する。分類規則はユーザインターフェイスにより選択可能であり、パーソナルまたはローカルといった、ある特定のタイプの情報の永久的な分類や、帯域幅の使用可能度のような、相対的なネットワークの輻輳に基く他のタイプの情報の可変の分類が可能である。マルチモード無線スイッチ26は、１つのハウジング内において、または、その代りに、ドーターボードカードのような、情報ハンドリングシステム内へ挿入する1つの構造において、２つのトランシーバの能力を統合する。
【００１３】
ここで、図２を参照すると、ブロック図は、１つのハウジング内に配置された共通のインフラストラクチャをもつ無線ローカルおよびパーソナルエリアネットワークを支援するように構成されたマルチモードスイッチを示している。無線ローカルエリアネットワーク30および無線パーソナルエリアネットワーク32は、共通のアンテナ28とインターフェイスし、各それぞれのネットワークにおいて情報を通信する。ワイヤードモジュール34は、イーサネット（登録商標）インターフェイス（interface, I/F）36を通って従来のワイヤーを使用したネットワークと通信する。電力モジュール38は、802.3af標準にしたがうパワー オーバー イーサネット（登録商標）（Power over Ethernet（登録商標）, PoE）でマルチモードスイッチ26を動作する電力を得る。
【００１４】
タスク割当てモジュール40は、無線ローカルエリアネットワークモジュール30、無線パーソナルエリアモジュール32、およびワイヤードモジュール34を通る通信情報を割当てる。選択されたネットワークに割当てる情報の分類は、例えば、割当てスイッチモジュール42を使用して行われ、割当てスイッチモジュール42は、タスクに基づいて、情報を通信するネットワークを割振る。タスクの割当ては、データ、ビデオ、音声、または他の特定のマルチメディアアプリケーションと関係付けられた情報のような、トラヒックのタイプ、周波数帯域、およびアプリケーションのタイプに基いて、優先順位付けモジュール44によって優先順位を付けられる。例えば、優先順位付けモジュールは、情報の源または宛先のルーティング情報により、または、別の例として、パーソナルおよびローカル無線ネットワークの情報量または使用可能な帯域幅量を監視することにより、優先順位を判断する。音声モジュール46は、ＷＬＡＮモジュール30およびワイヤードモジュール34を通るＶｏＩＰ情報の優先順位を付けられた通信を支援する。例えば、音声モジュール46は、移動ＶｏＩＰ電話を定期的に走査し、ＶｏＩＰ通信の開始時に、サービス品質（quality of service, QOS）のエンジン48をアクティブ状態にし、優先順位を付けられた通信のために音声パケットにタグを付ける。ファイアウォールモジュール50は、選択されたユーザをスイッチ26に安全にアクセスさせ、無線伝搬モジュール52は、移動性、同一チャネルの干渉、リンクのフェイルオーバ、および輻輳の管理のような特徴を支援する。
【００１５】
ここで、図３を参照すると、ブロック図は、会社のネットワーク化の解決案におけるマルチモード無線スイッチ26の配備の例を示している。第１および第２の建物構造60の各々は、複数のオフィスキュービクル62をもつオフィス環境を支援し、各オフィスキュービクル62は会社の従業員を支援している。複数のキュービクル62を支援するために、マルチモード無線スイッチ26が配備されており、図３には、４つのキュービクルが示されている。従業員のネットワーク化の要求に依存して、マルチモード無線スイッチ26は、ＷＬＡＮおよびＷＰＡＮの両者の環境において、１０または１５個のキュービクルを支援することができる。マルチモード無線スイッチ26は、ケーブル64と、従来の一連のスイッチおよびルータのような、会社のネットワークの雲形部分24とを通って、データ局66と情報を通信する。キュービクル62内の情報ハンドリングシステムは、記憶装置68、外部ルータ70、および電話スイッチ72のような、ビジネス情報技術資源にアクセスして、ｅメール、データ、音声、およびビデオ情報の通信のような、希望のビジネス機能を実行する。
【００１６】
マルチモード無線スイッチ26内の割当てモジュールは、ＷＬＡＮとＷＰＡＮとの間で通信を割り振ることによって、割り振られたキュービクル62内の情報ハンドリングシステムおよび周辺機器によるネットワークの使用を管理する。例えば、スイッチ26に割振られたキュービクル内に位置するデスクトップ型情報ハンドリングシステム10は、ＷＬＡＮを通して、ネットワークの雲形部分と通信し、一方で、割振られたキュービクルの外部のデスクトップ型情報ハンドリングシステムは、輻輳を制限するために、スイッチ26の使用を選択的に禁止される。対照的に、会社環境全体で持ち運びできるノートブック情報ハンドリングシステム12は、会社環境全体に配備された種々のスイッチ26によって支援されるＷＬＡＮのホットスポットと対話する。別の例として、移動ＶｏＩＰ電話は、会社環境全体に配備されたスイッチ26によって支援されるＷＬＡＮのホットスポットを通って、電話スイッチ72を通って外部電話と通信する。無線ＶｏＩＰおよびセルラ機能の両者を含む電話は、ＷＬＡＮが使用可能であれば、ＷＬＡＮを通して、ＷＬＡＮが使用可能でなければ、セルラタワー76を通して、自動的に通信し、外部ネットワークの通信コストを低減しようとする。希望のＶｏＩＰのサービス品質は、ＶｏＩＰの電話へＷＬＡＮの帯域幅を優先順に割当てることを助け、関係付けられたＷＰＡＮへの依存を増加して、別の情報と通信する。スイッチ26に割振られた各キュービクル62の周辺機器は、主として、スイッチ26によって定められたＷＰＡＮを通って通信し、ＷＬＡＮ上の輻輳を低減する。データ内容および転送レートを変更するといった、種々のネットワーク通信の要求をもつタスクが生じると、マルチモードスイッチ26は、情報の転送に優先順位を付けて、ＷＬＡＮとＷＰＡＮとの間でタスクを割当てて、ネットワークの使用を最適化する。
【００１７】
本発明は、詳しく記載されているが、本発明の特許請求項によって定められた発明の意図および技術的範囲から逸脱することなく、本発明に種々の変更、置換、および改変を行うことができることが分かるであろう。
【図面の簡単な説明】
【００１８】
【図１】マルチモードスイッチによって支援される情報ハンドリングシステムおよび周辺機器のブロック図。
【図２】無線ローカルエリアネットワークとパーソナルエリアネットワークとを、共通のインフラストラクチャで支援するように構成されたマルチモードスイッチのブロック図。
【図３】複数のユーザを支援するために、会社の構造に配備されたマルチモードスイッチのブロック図。
【符号の説明】
【００１９】
28・・・アンテナ、60・・・建物構造、62・・・オフィスキュービクル、64・・・ケーブル、66・・・データ局、68・・・記憶装置、70・・・外部ルータ、72・・・電話スイッチ、76・・・セルラタワー。
【図１】
2006074737.tif 000003
【図２】
2006074737.tif 000004
【図３】
2006074737.tif 000005
【外国語明細書】
2006074737000001.pdf